(57)【要約】【課題】衛生薄葉紙ディスペンサーからの衛生薄葉紙の取り出し性を高める。【解決手段】  衛生薄葉紙束を収納するケースと、このケースの底部に形成された第１の方向に長い取出口と、この取出口より上方の位置に前記第１の方向に離間して形成された、衛生薄葉紙束の長手方向の両端部でかつ束の短手方向中央部を支持する突起部２９と、を有する衛生薄葉紙ディスペンサーに用いるアタッチメントであって、前記アタッチメント５１は、少なくとも使用時にディスペンサー内に収納された前記衛生薄葉紙束Ｓo上に載置され、前記衛生薄葉紙束へ押さえ力を作用させ、かつ、前記衛生薄葉紙束Ｓoからの衛生薄葉紙の引き出しに伴う束上面の下方への移動に伴って下方に移動する板状体である、【選択図】図１１
2020163020.tif 000002
【特許請求の範囲】
【請求項１】
衛生薄葉紙束を収納するケースと、このケースの底部に形成された第１の方向に長い取出口と、この取出口より上方の位置に前記第１の方向に離間して形成された、衛生薄葉紙束の長手方向の両端部でかつ束の短手方向中央部を支持する凸部と、を有する衛生薄葉紙ディスペンサーに用いるアタッチメントであって、
前記アタッチメントは、少なくとも使用時にディスペンサー内に収納された前記衛生薄葉紙束上に載置され、前記衛生薄葉紙束へ押さえ力を作用させ、かつ、前記衛生薄葉紙束からの衛生薄葉紙の引き出しに伴う束上面の下方への移動に伴って下方に移動する板状体である、
ことを特徴とする衛生薄葉紙ディスペンサー用アタッチメント。
【請求項２】
前記アタッチメントは、平板状である請求項１記載の衛生薄葉紙ディスペンサー用アタッチメント。
【請求項３】
前記アタッチメントは、前記第１の方向と直交する第２の方向に、両側縁部を有し、これらの側縁部間は前記衛生薄葉紙束上面と接触しない横断面アーチ又は山形を有している、請求項１記載の衛生薄葉紙ディスペンサー用アタッチメント。
【請求項４】
前記両側縁部に、前記衛生薄葉紙束上面との摩擦力を高めるシュー部材を備えている請求項３記載の衛生薄葉紙ディスペンサー用アタッチメント。
【請求項５】
前記アタッチメントの自重は３０〜１３０ｇである請求項１記載の衛生薄葉紙ディスペンサー用アタッチメント。
【発明の詳細な説明】
【技術分野】
【０００１】
本発明は、衛生薄葉紙ディスペンサー用アタッチメント、特に衛生薄葉紙ディスペンサーに用いて衛生薄葉紙を取り出しやすくするためのアタッチメントに関する。
【背景技術】
【０００２】
複数枚の衛生薄葉紙を折り畳んで積層した束を、交換可能に内部に収め、底部の取出口から一枚ずつ引き出せるようにする衛生薄葉紙ディスペンサーがある。このようなディスペンサーによく用いられる衛生薄葉紙は、ペーパータオルが代表的である。
【０００３】
この種の衛生薄葉紙ディスペンサーでは、束を構成する個々の衛生薄葉紙の紙特有の摩擦等によって、最底部の衛生薄葉紙を取出口から引き出すと、次の衛生薄葉紙の一部が取出口から露出される。
【０００４】
他方で、この種の衛生薄葉紙ディスペンサーの内部には、図２、図５及び図７に示すように、衛生薄葉紙を一枚ずつ引き出しやすくすべく、取出口と離間した上方位置において、束の長手方向側縁部かつ短手方向中央部を支持する凸部が形成されているものがある。この凸部は、例えば、ディスペンサーを構成する下部部材の側方や、ディスペンサーの側板からディスペンサー幅方向中央部に向って突出するように形成される（下記特許文献１）
【０００５】
この凸部により束の下面側が支持され、取出口から引き出される一枚に束の重量が過度に加わらないようになり、スムーズに取出口から衛生薄葉紙を取り出しやすくなる。
【先行技術文献】
【特許文献】
【０００６】
【特許文献１】特開２００９−１３６５８６号公報
【発明の開示】
【発明が解決しようとする課題】
【０００７】
しかしながら、従来のこの種のディスペンサーにおいては、ディスペンサー内の衛生薄葉紙の枚数が少なくなってくると、凸部に加わる束の荷重が小さくなり、一枚を引き出す際に、紙相互の摩擦により後続の束がディスペンサー内で動いて、凸部と取出口との間に複数枚が束のまま落ち込むことがある。そして、特にこのような場合に、取出口から一枚の衛生薄葉紙を取り出すと、取出口から後続の一枚の衛生薄葉紙のみならず多数の衛生薄葉紙が束となって引き出されてしまうことがあった。
【０００８】
そこで、本発明の主たる課題は、取出口から衛生薄葉紙を一枚ずつスムーズに取り出すことができ、特にディスペンサー内の衛生薄葉紙の枚数が少ない場合にも取出口から衛生薄葉紙を一枚ずつスムーズに取り出すことができる、衛生薄葉紙ディスペンサー用のアタッチメントを提供することにある。
【課題を解決するための手段】
【０００９】
上記課題を解決するための手段は、
衛生薄葉紙束を収納するケースと、このケースの底部に形成された第１の方向に長い取出口と、この取出口より上方の位置に前記第１の方向に離間して形成された、衛生薄葉紙束の長手方向の両端部でかつ束の短手方向中央部を支持する凸部と、を有する衛生薄葉紙ディスペンサーに用いるアタッチメントであって、
前記アタッチメントは、少なくとも使用時にディスペンサー内に収納された前記衛生薄葉紙束上に載置され、前記衛生薄葉紙束へ押さえ力を作用させ、かつ、前記衛生薄葉紙束からの衛生薄葉紙の引き出しに伴う束上面の下方への移動に伴って下方に移動する板状体である、
ことを特徴とする衛生薄葉紙ディスペンサー用アタッチメントである。
【００１０】
前記アタッチメントは、平板状であることができる。
【００１１】
前記アタッチメントは、前記第１の方向と直交する第２の方向に、両側縁部を有し、これらの側縁部間は前記衛生薄葉紙束上面と接触しない横断面アーチ又は山形を有しているものとすることができる。
【００１２】
前記両側縁部に、前記衛生薄葉紙束上面との摩擦力を高めるシュー部材を備えている態様を提案できる。
【００１３】
前記アタッチメントの自重は３０〜１３０ｇであるのが望ましい。
【発明の効果】
【００１４】
本発明によれば、取出口から衛生薄葉紙を一枚ずつスムーズに取り出すことができ、特にディスペンサー内の衛生薄葉紙の枚数が少ない場合にも取出口から衛生薄葉紙を一枚ずつスムーズに取り出すことができる、衛生薄葉紙ディスペンサー用のアタッチメントが提供される。
【図面の簡単な説明】
【００１５】
【図１】第１の実施の形態の衛生薄葉紙ディスペンサーの正面図である。
【図２】そのII−II断面図である。
【図３】図２のケース本体のみを表した示す断面図である。
【図４】本形態のケース本体の正面図である。
【図５】本形態のペーパー支持体の上面図である。
【図６】図２の蓋体のみを表した断面図である。
【図７】第１の実施の形態の蓋体の側面断面図である。
【図８】本発明の第２の形態にかかるケース本体とペーパー支持体が一体の例を示す側面図である。
【図９】（ａ）（ｂ）衛生薄葉紙の束を説明するための斜視図である。
【図１０】衛生薄葉紙ディスペンサーに第１のアタッチメント例を適用した縦断面図である。
【図１１】衛生薄葉紙ディスペンサーに第２のアタッチメント例を適用した縦断面図である。
【図１２】衛生薄葉紙とアタッチメントの関係を示す水平概要断面図である。
【図１３】第３のアタッチメント例の横断面図である。
【図１４】第４のアタッチメント例の横断面図である。
【図１５】第５のアタッチメント例の平面図である。
【発明を実施するための形態】
【００１６】
次いで、本発明の実施の形態を図面を参照しながら以下に詳述する。
【００１７】
アタッチメントの説明に先立って、衛生薄葉紙ディスペンサーの形態例を説明する。
〔衛生薄葉紙ディスペンサー〕
本発明の衛生薄葉紙ディスペンサー用アタッチメントが対象とする衛生薄葉紙ディスペンサーの例を説明する。
＜第１の実施の形態＞
まず、第１の実施の形態の衛生薄葉紙ディスペンサーＸ１を図１〜７を参照しながら説明する。図１は、本形態の衛生薄葉紙ディスペンサーの正面図、図２は、そのＩＩ−ＩＩ断面図、図３は、ケース本体の側面断面図、図４はケース本体の正面図、図５はペーパー支持体の上面図、図６はペーパー支持体の正面図、図７は、蓋体の側面断面図である。
この衛生薄葉紙ディスペンサーＸ１は、その素材が例えばＡＢＳ樹脂等の合成樹脂であり、ケース本体１と、ペーパー支持体２と、蓋体３とで構成されている。
ケース本体１は、天板部１０と背板部１１とこの背板部１１の両側縁において、前記背板部１１と直角をなして手前に延在する左右一対の内側片部１２，１２とを有する。
内側片部１２，１２の下部には、ペーパー支持体２を固定及び位置決めするための位置決め用孔１２Ａが形成されている。
位置決め用孔１２Ａの形状については特に限定されない。円形孔であっても四角形孔であってもよい。図示例では、四角形孔を採用している。
【００１８】
他方、内側片部１２，１２の下部には、さらに位置決め孔１２Ａとは別に、ペーパー支持体２の固定を確実にするために、位置決め孔１２Ａに対応する係止用長孔１２ａが形成されている。
本形態では、位置決め用孔１２Ａに対応するように一つの内側片に二つの係止用長孔１２ａが形成されている。
図示例では、係止用長孔１２ａは、位置決め孔１２Ａの上部側に適当距離離間した位置に形成されている。なお、この係止用長孔の形状も適宜変更することが可能である。
さらに、内側片部１２，１２の下部には、前記ペーパー支持体２を固定するための位置決め用孔等１２Ａとは別に、前記蓋体３が連結される一対の蓋体連結用円孔１３Ａが形成されている。
本形態では、蓋体３の取り付け位置を調整できるように、一つの内側片に蓋体連結用円孔１３Ａを形成している。
【００１９】
他方、前記ペーパー支持体２は、前記背板部側から手前側に向かって下り傾斜する奧側傾斜面２４と、前記前板部側から前記奥側に向かって下り傾斜する手前側傾斜面２５と、前記奥側傾斜面２４と手前側傾斜面２５とを連接する支持体側板２６，２６とを有し、両斜面２４，２５の下縁間に衛生薄葉紙の取出口２０を有する。
【００２０】
また、本形態のペーパー支持体２では、前記支持体側板２６，２６の外面に位置決め用突起部２１を有しており、この位置決め用突起部２１を前記一対の位置決め用孔に嵌合して、前記内側片部間の所定位置に位置決めされている。さらに、位置決め用突起部２１とは別の係止片２２を有しており、前記位置決め用突起部２１の位置決め孔１２Ａへの嵌合とともに、これを係止長孔１２ａに嵌合して、ペーパー支持体２がケース本体１の内側片部１２，１２間に固定されている。
【００２１】
このようにしてペーパー支持体２は、前記ケース本体１の下部において前記各内側片部１２，１２に対して固定されていてディスペンサーＸ１の底部を構成している。
このようにペーパー支持体２を構成すると、前記傾斜面２４，２５の存在により、使用時、すなわち前記取出口２０から衛生薄葉紙を一枚ずつ引き出す際に、最も下側の最下衛生薄葉紙とその一枚上の衛生薄葉紙の下側縁が前記傾斜面２４，２５にガイドされて前記取出口へと案内される。
【００２２】
他方、本形態の衛生薄葉紙ディスペンサーＸ１では、前記奥側傾斜面２４及び手前側傾斜面２５の上縁から上方に向かって、さらに支持体側板２６，２６の上部に、実質的に垂直に延在する垂直面２７を有し、この垂直面２７によって上下解放の枡形の壁面２７が形成されている。この枡形の壁面２７に囲まれる部分に衛生薄葉紙束が収容される。この垂直面２７により、衛生薄葉紙束の側方、特に手前奥方向への動きが拘束され、前記取出口２０からの取り出し操作をしたときに、ディスペンサー内で不要に動くことがなくなり、安定して取り出せる効果の一端を担う。
【００２３】
また、前記各傾斜面２４，２５と垂直面２７との間の屈曲部分２４ｔ，２５ｔにより衛生薄葉紙束の下縁部又はその近傍が支持されるようになり、使用時、特にディスペンサー内部の薄葉紙の枚数が少なくなったときに一度に多数枚が引き出されてしまうという事故が格段に減少する。
【００２４】
さらに、本形態の前記奥側傾斜面２４及び手前側傾斜面２５の各傾斜面２４，２５は、好適な例として、上方側に位置する急傾斜面２４Ａ，２５Ａと下方側に位置する緩傾斜面２５Ｂ，２５Ｂとが変曲線２８，２８を介して連続するように形成されている。急傾斜面２４Ａ，２５Ａと緩傾斜面２５Ｂ，２５Ｂとの間の角度は３２０〜３５０度程度とするのがよい。このように手前側傾斜面２５及び前記奥側傾斜面２４の各傾斜面２４，２５を二種の傾斜面で構成することで、衛生薄葉紙の案内を確保してスムーズな引き出しを可能にしつつも、衛生薄葉紙束を取り出したときにその下方側のばらけた衛生薄葉紙の数枚が当該以外変曲線２８、２８で支持されるようになり、使用時、特にディスペンサー内部の薄葉紙の枚数が少なくなったときに一度に多数枚が引き出されてしまうという事故がより一層に減少する。
【００２５】
他方、前記ペーパー支持体２は、前記支持体側板２６から内側に突出する突起部２９，２９を有している。すなわち、突起部２９，２９は前記垂直面２７よりも下方に位置している。この位置に突起部２９，２９を形成したことで前記収納された衛生薄葉紙束の下面（使用開始した後には下部）が支持される。
【００２６】
本形態では、この突起部２９，２９は好ましい形態として、天板部１０側から下方に向かって突出長さが長くなるように延出し、その下端部でさらに内側に向かって突出する凸部２９ｔ，２９ｔを有する形状となっている。このような突起部の形状とすると、支持体側板から突出する一対の突起部間の距離が下方にいくほど狭くなるため、衛生薄葉紙束は下方にいくほど下に凸となるように湾曲された状態で衛生薄葉紙束が支持される。この湾曲によって最下部の衛生薄葉紙が取り出し口から極めて摘み易くなる。また、引き出し時に適度な抵抗を与え、スムーズな引き出しと後続の衛生薄葉紙が束になって引き出されることを効果的に防止する。
また、衛生薄葉紙束を収納したときに衛生薄葉紙束重量による加重が下方に行くほど軽減され、前記傾斜面２４，２５による最下及びそれより一枚上の衛生薄葉紙の案内がよりスムーズ及び確実なものとなる。
【００２７】
本形態の突起部は、前記凸部の上面側が半球状になっている。これにより、衛生薄葉紙を引き出した時に引っかかることなくスムーズに取出口へと移動される。
ただし、前記突起部２９，２９と奥側傾斜面２４及び前記手前側傾斜面２５と間の離間距離Ｌ１は６ｍｍ〜１２ｍｍとするのが望ましい。６ｍｍ以下であると、取出し口との距離が近く、紙を取り出す時に突起部に紙が引掛かりやすくなり、引き出し抵抗が悪くなる。また、１２ｍｍ以上の場合、取出し口と突起部の隙間が多すぎ、残り枚数が少なくなったときに束になってペーパータオルが落下しやすくなる。
【００２８】
他方、本形態のペーパー支持体２は、前記取出口２０が、手前側傾斜面２５と奥側傾斜面２４との間に位置し、前記背板部と前板部とに平行に延在する細長部２０Ｌと、前記ペーパー支持体の中央部で前記細長部と連続し、上面側に向かって略台形状に凹欠された凹欠部２０Ｖとで構成されている。なお、凹欠部の形状は略台形状に限られないがこの形状が本発明の効果を発現しやすく望ましい。
【００２９】
手前側及び奥側の凹欠部の何れか一方の凹欠部は、その上縁は傾斜面に連続する垂直面に位置している。好ましくは手前側の凹欠部の上縁が手前側傾斜面に連続する垂直面に位置しているのが望ましい。前記ペーパー支持体２上に載置された衛生薄葉紙束の積層面が当該凹欠部から露出されるように構成されている。
このように凹欠部を形成したことで、ペーパー束の積層面に触れることができ使用開始時に最初の一枚を摘みやすくなる。さらに、側部の押えが過度にならず、前記撓みと相まって引き出しがスムーズになされ、束になって引き出される事故も格段に減少する。
【００３０】
他方、蓋体３は、天板部３０と前板部３１と前板部３１の両側縁において前記前板部３１と直角をなして奧側に延在する外側片部３２，３２とを有し、底側は解放されている。
前板部３１の高さはケース本体１の背板部１１より若干高く、また外側片部３２，３２の間はケース本体１の内側片部間１２，１２よりも若干幅広に形成されている。
【００３１】
さらに、蓋体３は、その外側片部３２，３２の下部に形成された、対面する蓋側片部に向かって突出する突起３３，３３を有し、この突起３３，３３がケース本体１の前記一対の蓋体連結用円孔１３Ａに、内側片外方側から回動自在に嵌合されて、この突起部を軸にしてケース本体１に対して開閉可能とされている。
【００３２】
前記蓋体の前板部は、下縁３１ｅの中央部が上縁側に向かって湾曲しており、取り出し口から衛生薄葉紙を摘みやすくしているともに、前記凹欠部から露出する衛生薄葉紙束の積層面に触れやすく一層、最初の一枚の引き出しをしやすくしている。
【００３３】
また、この湾曲縁の最上位置は、前記ペーパー支持体の垂直面の下縁、すなわち傾斜面との境界位置より下方に位置している。このため、正面視において前記端面は露出することがなく、水しぶきや埃等が前記端面に付着することが防止され、使用を控えている後続の衛生薄葉紙の衛生性が確保される。また、意匠性にも優れたものとなる。
【００３４】
他方、本形態の衛生薄葉紙ディスペンサーＸ１は、背板部１１の前板部３１と対面する面に、手前側に突出する奧側ガイドリブ１５が形成され、前記前板部３１の背板部１１と対面する面に、奥側に突出する手前側ガイドリブ３５が形成されている。
【００３５】
本形態では、奧側ガイドリブ１５は、前記各内側片１２，１２から所定距離離間した位置に１本ずつ計２本が並ぶように配置されており、手前側ガイドリブ３５も同様に、前記各外側片３２，３２から所定距離離間した位置に１本ずつ計２本が並ぶように形成されている。ただし、各ガイドリブの本数はこれに限定されない。
【００３６】
また、奥側ガイドリブ１５と手前側ガイドリブと３５は蓋３を閉めた際に相対する位置に形成する必要はない。
これらのガイドリブ１５，３５は、ケース上部側からペーパー支持体２側に向かって、比例的に突出長が増すように構成されており、これらの存在により、衛生薄葉紙束を収納したときのペーパー支持体２上面への衛生薄葉紙束重量による加重が軽減され、前記傾斜面２４，２５による最下衛生薄葉紙及びそれより一枚上の衛生薄葉紙の案内がよりスムーズ及び確実なものとなる。
【００３７】
これらガイドリブ１５，３５は特徴的に、その突出先端が、前記垂直面２７，２７よりもディスペンサーの内側、すなわち対向する前板部側若しくは背板部側に突出するように構成されている。
このように突出していることで、ガイドリブ間にある衛生薄葉紙束の一部の重量が、ガイドリブ１５，３５を通過して前記垂直面２７，２７間に移動した衛生薄葉紙束の一部へ加わり難くなり、もって上記説明のペーパー支持体におけるスムーズな引き出し機構と束になって引き出されることを防止する機能が効果的に発揮されるようになる。
ここで、前記ガイドリブの高さは、衛生薄葉紙の積み上げ量、すなわち収納量に応じて適宜設計すればよい。概ね１〜３０ｃｍ程度あればよい。
【００３８】
また、前記ガイドリブ最下端とペーパー支持体とのクリアランスは０〜５ｍｍであるのがよい。５ｍｍ以上であると、ペーパータオルがペーパー支持体の上部に引掛かり、下に落ちて来ない事がある。特に収納量が多い場合に加重調整機能の効果が得られないことがある。
【００３９】
さらに、前記ガイドリブは、衛生薄葉紙束の長手方向の長さの９９〜９０％程度に撓むように設計するのか良い。９０％以上撓むように設計すると、リブ間にペーパータオルが引掛かり下に落ちてきにくくなり、長手方向の長さ以上に設定すると、上からの荷重を押える事ができず、引き出した時の抵抗が大きく、取り出しにくくなる。
なお、衛生薄葉紙を一般的な清拭用ワイプ（中判サイズ２２０×２３０ｍｍ）を二つ折りにして折返し縁を重ねた衛生薄葉紙束に用いる場合、奧側ガイドリブの最下突出端と、手前側ガイドリブの最下突出端との間の距離を５〜１５ｃｍとするのがよい。効果的に加重調整がなされる。
【００４０】
＜第２の実施の形態＞
図８に第２の実施の形態のケース本体及びペーパー支持体の側面図を示す。この第２の実施の形態は、奥側傾斜面２４の上縁から延在する垂直面２７がケース本体１の背板部１１に連続し、さらに支持体側板２６の上方から延在する垂直面２７がケース本体１の内側片部１２，１２に連続して、前記ケース本体１とペーパー支持体２とが一体となっている形態である。
従って、ケース本体１とペーパー支持体２との連結するための位置決め用孔、係止用長孔等は存在しない。
また、本形態では、手前側傾斜面２４から延在する垂直壁部が狭く形成されており、前記凹欠部の上縁が垂直面と傾斜面との間に位置するように構成している。
その他の構成については、第１の実施の形態と同様であるので説明は省略する。
【００４１】
この形態においては、このようにペーパー支持体２とケース本体１が一体であるため、大判サイズの衛生薄葉紙束など重量の重い衛生薄葉紙束を、ペーパー支持体２に乗せる際や引き出しのさいにペーパー支持体２に強い力が加わってもケース本体１から落下してしまうという事故がなくなる。なお、取出口２０からの衛生薄葉紙の取り出し性の改善に関する効果に関しては、第１の実施の形態と同様の効果を奏する。
また、ケース本体１とペーパー支持体２を一体化するにあたっては、樹脂形成などによって予め一体に成形するようにしてもよいし、接着剤等により接着して一体化してもよい。その方法は問わない。
【００４２】
〔衛生薄葉紙束〕
周知のように、図９に示すように、ディスペンサーの収納する衛生薄葉紙束Ｓｏは、ティシュペーパーを収容しポップアップ形式で取り出すカートンと同様に、シートＳを、ポップアップ形式で折り畳みを行ったものである。
【００４３】
〔アタッチメント〕
衛生薄葉紙束Ｓｏは、図１０のように、その幅をディスペンサーの前後方向に合わせてディスペンサー内に収納される。
本発明の第１のアタッチメント５０は、平板状であり、衛生薄葉紙束Ｓｏ上に設置されるものである。
【００４４】
後述するアタッチメントも含めて、アタッチメントの材質はプラスチックのほか金属などの適宜の材料で形成できる。
このアタッチメントは、必要により、荷重を増すための載荷部材（重り部材）と一体で使用できる。また、その形状は、衛生薄葉紙束ＳｏからのシートＳの取出時点で当該形状であればよい。例えば、図１４の例の形状とするのに、例えば辺単位で３つの部材に分離されており、使用時点でこれを展開又は組み立てて、図１４の例の形状とすることができるものである。
さらに、アタッチメントは衛生薄葉紙束Ｓｏ上に設置されるものであるから、その設置に便利なように、上面側に取っ手を設けてもよい。あるいは、アタッチメントの中央部に透過孔を形成し、その透過孔に指を差し込みながらディスペンサー内に搬入し設置することができる。
【００４５】
さらに、アタッチメントの各例について説明を進める。第１のアタッチメント５０（他のアタッチメント例も同様）は、図１２に示すように、アタッチメント前後方向の幅長さＷ１は、衛生薄葉紙束Ｓｏの前後方向の幅長さＷ０に対する比率として、（０．５０〜０．９８）Ｗ０であるのが好ましく、特に（０．７０〜０．９０）Ｗ０であるのが好ましい。
この比率が過度に小さいと、衛生薄葉紙束Ｓｏの側縁部（ディスペンサーの前後における左右の延びる部分）を、押さえ付ける力が不足がちとなる。過度に大きいと、アタッチメントが下方に移動するとき、ディスペンサーの前後方向の立て壁と接触し、円滑な移動がしがたいことがある。
【００４６】
また、アタッチメント左右方向の長さＬ１は、衛生薄葉紙束Ｓｏの左右方向の長さＬ０に対する比率として、（０．６０〜０．９８）Ｗ０であるのが好ましく、特に（０．７５〜０．９０）Ｗ０であるのが好ましい。
この比率が過度に小さいと、衛生薄葉紙束Ｓｏの両側縁部（ディスペンサーの前後における左右の延びる部分）を、押さえ付ける力が不足がちとなる。過度に大きいと、アタッチメントが下方に移動するとき、ディスペンサーの前後方向の立て壁と接触し、円滑な移動がしがたいことがある。
【００４７】
また、アタッチメントとしては、第１のアタッチメント５０では平板状であるが、アーチ状であるのがより好ましい。
アーチとしては、円弧状又は曲線状アーチのほか、角形（例えば下向きに開口した溝形鋼に類似する形状、斜面が下広がりになった形状）、あるいはこれらの組み合わせなどを含む意味である。
【００４８】
図１１には、円弧状アーチを示す第２のアタッチメント５１の例を示した。第２のアタッチメント５１を設置した段階で、第２のアタッチメント５１の（図１１の）左右方向の側縁部５１ａ，５１ａが、衛生薄葉紙束Ｓｏ上に接触し、衛生薄葉紙束Ｓｏへ押さえ力を作用させる。このとき、第２のアタッチメント５１の荷重は、主に、衛生薄葉紙束Ｓｏの側縁部に集中するようになる。
【００４９】
図１３には、円弧状アーチ形状のアタッチメントの両側縁部に、衛生薄葉紙束上面との摩擦力を高めるシュー部材５２を備えている第３のアタッチメントを示した。
シュー部材５２としては、例えばゴム材料など摩擦係数が大きい材料を使用できる。
【００５０】
各形アーチの例として、図１４に示す、斜面が下広がりになった角形である第４のアタッチメント５３を挙げることができる。
【００５１】
ここで、アタッチメントの挙動について説明する。
衛生薄葉紙束Ｓｏは軽量である。特に残数が少なくなった時点では軽量である。
この段階で、最下のシートＳを取り出すとき、特にその取出の最終段階で次のシートＳの一部が取出口２０から垂下するように、最下のシートＳと次のシートＳとの重ね合わせ面における摩擦力が作用する。
その結果、次のシートＳを変形させながら取り出すとき、折り畳まれたさらに上のシート群にも力が作用し、主にディスペンサーの前後方向に移動する力が作用する。
かくして、シートＳを順次引き出すとき、衛生薄葉紙束Ｓｏ全体がディスペンサーの前後方向に移動する、いわば前後方向に暴れる現象を招く。
かかる現象が蓄積すると、衛生薄葉紙束Ｓｏの形状も崩れるようになる。
いずれにしても、ディスペンサー内のシートＳの枚数が少なくなってくると、凸部に加わる束の荷重が小さくなり、一枚を引き出す際に、紙相互の摩擦により後続の束がディスペンサー内で動いて、凸部２９ｔと取出口２０との間に複数枚が束のまま落ち込むことがある。そして、特にこのような場合に、取出口２０から一枚のシートＳを取り出すと、取出口から後続の一枚の衛生薄葉紙のみならず多数のシートＳが束となって引き出されてしまうことがあった。
【００５２】
これに対する、本発明に係る詳しくは解析でないが想像される作用機序について説明する。
すなわち、衛生薄葉紙束Ｓｏ上へのアタッチメントの設置によって、アタッチメントの重量が衛生薄葉紙束Ｓｏ上に対する押さえ力又は拘束力として作用する。
その結果、シートＳを引き出すとき、衛生薄葉紙束Ｓｏ全体がディスペンサーの前後方向に移動する、いわば前後方向に暴れる現象を防止又は抑制できる。
したがって、シートＳを引き出すとき、後続のシート群は正規の束形状を保持するようになるから、取出口２０から後続の一枚の衛生薄葉紙のみならず多数のシートＳが束となって引き出されてしまうことを防止又は抑制できる。
【００５３】
アタッチメントの重量が衛生薄葉紙束Ｓｏ上に対する押さえ力は、第１のアタッチメント５０より、アーチ状であるのがより好ましいことは前述した。この理由はかならずしも明確ではないが、次のとおりのもと考えられる。
アタッチメントが平板状である場合、衛生薄葉紙束Ｓｏと接触している面積全体にアタッチメントの加重が加算される。その結果、取出口２０から一枚のシートＳを取り出すとき、後続の一枚のシートＳとの接触面全体が摩擦面となって、摩擦力として大きなものとなり、両者の分離し難くなる。
これに対し、アタッチメントがアーチ状であると、その両側縁部が衛生薄葉紙束Ｓｏの両側縁部と接触してアタッチメントの加重が加算される。しかし、加重は衛生薄葉紙束Ｓｏの両側縁部に集中するようになるので、仮に、平板状アタッチメントと同じ加重であっても、摩擦面は両側縁部に限定的なものとなるから、取出口２０から一枚のシートＳを取り出すとき、後続の一枚のシートＳとの摩擦力は小さいものとなる。
にもかかわれず、衛生薄葉紙束Ｓｏの両側部に対して加重が作用するから、ディスペンサーの前後方向の移動（暴れ）はない又は小さいものとなる。
以上の現象が相まって、シートＳを引き出すとき、取出口２０から後続の一枚の衛生薄葉紙のみならず多数のシートＳが束となって引き出されてしまうことが、より防止又は抑制される。
【００５４】
衛生薄葉紙束Ｓｏから最後のシートＳが引き出される段階の近くまで段階（最終段階）まで、アタッチメントが衛生薄葉紙束Ｓｏを押さえておくことが望ましい。
このために、アタッチメントが最終段階まで、下方に移動することが望ましい。
主に、突起部２９又は凸部２９ｔの高さ位置と、手前側傾斜面２５と奥側傾斜面２４の高さ位置及び傾斜角度とが関係して、アタッチメントの下方への移動限が規定される。
アーチ状のアタッチメントのアーチ深さを適宜選択することにより、突起部２９又は凸部２９ｔに衝突することなく、アタッチメントの下方移動が可能となる。
【００５５】
また、アーチ状のほか平板状のアタッチメントを含めて、突起部２９又は凸部２９ｔ相互の離間距離より、アタッチメント左右方向の長さＬ１を短いものとすれば、突起部２９又は凸部２９ｔに衝突することなく、アタッチメントの下方移動が可能となる。
【００５６】
さらに、図１５に示すように、長手方向両端部に、突起部２９又は凸部２９ｔを避けるための切欠部５４ａ，５４ａを形成した第５のアタッチメント５４を採用することもできる。
かかる形態においても、突起部２９又は凸部２９ｔに衝突することなく、アタッチメントの下方移動が可能となる。
【００５７】
他方の表現を使用すると、アタッチメントは、衛生薄葉紙の束Ｓｏ上面の、少なくとも長手縁部に接触して束に自重を荷重する束押持部と、支持部としての突起部２９又は凸部２９ｔを避けるための支持部回避部分とを有し、支持部回避部分により支持部を避けることで束押持部が支持部位置より下方位置まで移動可能とされているものといえる。
既述の説明において、支持部回避部分は、アーチ状とした形状、支持部相互の離間距離より、アタッチメント左右方向の長さＬ１を短く形成した形態、第５のアタッチメント５４における切欠部５４ａ，５４ａなどが相当する。
【００５８】
しかし、支持部回避部分を有しない形態であっても、タッチメントが衛生薄葉紙束Ｓｏを押さえる限り、本発明にかかる課題を解決するのに寄与する。
【００５９】
アタッチメントの材質としては、ポリエチレン、ポリプロピレン、ポリカーボネート、ポリ塩化ビニル、ポリエステル、天然又は合成ゴム、シリコンゴムなどを挙げることができる。必要ならば、表面に凹凸加工を行うことができる。
【００６０】
次に引き出し実験例を示す。
市販の大王製紙株式会社製のペーパータオル用のディスペンサー（構造は図１〜図８に示すものとほぼ同様である。）
このディスペンサーに各衛生薄葉紙束３０枚を格納した状態から１枚ずつ引き出し、最後の取り出しが何枚であったかを、５回繰り返したものである。
衛生薄葉紙束は、大王製紙株式会社製のやや硬い紙質の「エリエールエコスマート（１Ｐ）」（Ａシート）と柔らかい紙質の「エリエールスマートタイプダブル（２Ｐ）」（Ｂシート）とについて行った。
結果を表１に示す。取り出し時の枚数は５回の平均値である。
試験は、アタッチメントなし、図１４に示す形状のアーチアタッチメント、図１４に示す形状のアーチアタッチメントに図１３の例のようにゴム製のシューを取り付けたシュー付きアタッチメントについて行った。
【表１】
2020163020.tif 000003
【００６１】
表１の結果をみると、次のことが判る。
（１）アタッチメントを使用することが引き出し残枚数を低減するうえで好ましい。
（２）平板状アタッチメントの場合に比較して、特にシュー付きアタッチメントの場合は引き出し残枚数を低減するうえで顕著に好ましい結果を示す。
（３）シューなしのアタッチメントの場合は、平板状アタッチメントの場合に比較して良好とはいえない。シュー付きアタッチメントの場合と比較して、アタッチメントの材質として摩擦係数が低いものであったものと思われる。
【産業上の利用可能性】
【００６２】
本発明は、キッチンペーパー、ペーパータオル、手拭き用等の清拭用ワイプ等の衛生薄葉紙が複数枚重層された衛生薄葉紙積層体を内部に収納し、底部に設けられた取出口から衛生薄葉紙積層体のうち最下面の最下衛生薄葉紙を１枚ずつ取り出すための衛生薄葉紙ディスペンサーに利用可能である。
【符号の説明】
【００６３】
２０…取出口、２９…突起部、２９ｔ…凸部、５０，５１，５３，５４…アタッチメント、５２…シュー部材。
【図１】
2020163020.tif 000004
【図２】
2020163020.tif 000005
【図３】
2020163020.tif 000006
【図４】
2020163020.tif 000007
【図５】
2020163020.tif 000008
【図６】
2020163020.tif 000009
【図７】
2020163020.tif 000010
【図８】
2020163020.tif 000011
【図９】
2020163020.tif 000012
【図１０】
2020163020.tif 000013
【図１１】
2020163020.tif 000014
【図１２】
2020163020.tif 000015
【図１３】
2020163020.tif 000016
【図１４】
2020163020.tif 000017
【図１５】
2020163020.tif 000018